(57)【要約】【課題】現場施工性がよく、デザイン性に優れた縦樋用控具を提供する。【解決手段】縦樋３を保持する縦樋つかみ部１３を有する縦樋保持部１と、該縦樋保持部１と連結するとともに、建物の壁面に固定する固定部２とを備えてなる縦樋用控具において、前記縦樋保持部１は、前記縦樋つかみ部１３に延設した取付足１２と、該取付足１２に設けた突起部１１とを備え、前記固定部２は、前記突起部１１と嵌合自在な突起保持部２１を備え、前記突起部１１と前記突起保持部２１とを嵌合することで、前記縦樋保持部１と前記固定部２とを連結する。【選択図】　図１
2004027535.tif 000002
【特許請求の範囲】
【請求項１】
縦樋を保持する縦樋つかみ部を有する縦樋保持部と、該縦樋保持部と連結するとともに、建物の壁面に固定する固定部とを備えてなる縦樋用控具において、
前記縦樋保持部は、前記縦樋つかみ部に延設した取付足と、該取付足に設けた突起部とを備え、
前記固定部は、前記突起部と嵌合自在な突起保持部を備え、
前記突起部と前記突起保持部とを嵌合することで、前記縦樋保持部と前記固定部とを連結することを特徴とした縦樋用控具。
【請求項２】
前記突起保持部を複数設け、複数の前記突起保持部のうちのいずれかの前記突起保持部と前記突起部とを嵌合することで、前記縦樋保持部と前記固定部との連結距離を調節可能にする請求項１に記載の縦樋用控具。
【請求項３】
前記固定部には蓋を設け、該蓋にて前記縦樋保持部に対して前記固定部を固定する請求項１又は請求項２に記載の縦樋用控具。
【請求項４】
前記縦樋つかみ部は、縦樋に対して開閉自在に保持可能である請求項１乃至請求項３のいずれかに記載の縦樋控具。
【請求項５】
請求項１乃至請求項４のいずれかに記載の縦樋用控具の施工方法であって、前記突起部と前記突起保持部とを嵌合する工程と、前記固定部を前記建物の壁面に固定する工程と、前記縦樋つかみ部にて前記縦樋を保持する工程とを有する縦樋用控具の施工方法。
【発明の詳細な説明】
【０００１】
【発明の属する技術分野】
本発明は、例えば、建物の壁面に沿って配置される縦樋を保持するための縦樋用控具及びその施工方法に関する。
【０００２】
【従来の技術】
従来の縦樋用控具としては、例えば、特開２０００−３２００９７号公報に記載のものを挙げることができる。この縦樋用控具は、図４にその斜視図を示すように、円形の縦樋３を保持する抱持部５０と、抱持部５０に固着された延設片５１と、建物の外壁に固着される取付片５２と、延設片５１と取付片５２とを締結するボルト、ワッシャー、蝶ナット等の締結具５３とを備えている。
【０００３】
なお、延設片５１には孔部５１ａが開設されており、取付片５２には孔部５１ａと重合する調節用長孔５２ａが開設されており、締結具５３にて両孔部を任意の重合位置で締結して、縦樋３と外壁との間の距離を自在に調節するものである。
【０００４】
【発明が解決しようとする課題】
ところが、上述のような縦樋用控具においては、縦樋と外壁との距離を自在に調節できるが、延設片と取付片とを連結するためには、締結具が別途必要となる上、現場施工における締結具の締結作業等は煩雑で時間がかかってしまうという問題があった。
【０００５】
また、上述のような縦樋用控具においては、締結具が露出しているので、見栄えが悪く、例えば建物の外観を損ねるという恐れがあった。
【０００６】
本発明は上記問題点を改善するためになされたものであり、現場施工性がよく、デザイン性に優れた縦樋用控具を提供することを目的とするものである。
【０００７】
【課題を解決するための手段】
請求項１に記載の縦樋用控具は、縦樋３を保持する縦樋つかみ部１３を有する縦樋保持部１と、該縦樋保持部１と連結するとともに、建物の壁面４に固定する固定部２とを備えてなる縦樋用控具において、前記縦樋保持部１は、前記縦樋つかみ部１３に延設した取付足１２と、該取付足１２に設けた突起部１１とを備え、前記固定部２は、前記突起部１１と嵌合自在な突起保持部２１を備え、前記突起部１１と前記突起保持部２１とを嵌合することで、前記縦樋保持部１と前記固定部２とを連結することを特徴とするものである。
【０００８】
また、請求項２に記載の縦樋用控具は、請求項１に記載の発明において、前記突起保持部２１を複数設け、複数の前記突起保持部２１のうちのいずれかの前記突起保持部２１と前記突起部１１とを嵌合することで、前記縦樋保持部１と前記固定部２との連結距離を調節可能にすることを特徴とするものである。
【０００９】
また、請求項３に記載の縦樋用控具は、請求項１又は請求項２に記載の発明において、前記固定部２には蓋２３を設け、該蓋２３にて前記縦樋保持部１に対して前記固定部２を固定することを特徴とするもである。
【００１０】
また、請求項４に記載の縦樋用控具は、請求項１乃至請求項３のいずれかに記載の発明において、前記縦樋つかみ部１３は、縦樋３に対して開閉自在に保持可能であることを特徴とするものである。
【００１１】
また、請求項５に記載の縦樋用控具の施工方法は、請求項１乃至請求項４のいずれかに記載の縦樋用控具の施工方法であって、前記突起部１１と前記突起保持部２１とを嵌合する工程と、前記固定部２を前記建物の壁面４に固定する工程と、前記縦樋つかみ部１３にて前記縦樋３を保持する工程とを有することを特徴とするものである。
【００１２】
【発明の実施の形態】
以下に、本発明の実施形態を図１乃至図３に基づいて説明する。図１は本発明の実施形態に係る縦樋用控具を示す斜視図であり、図２は縦樋用控具を示す平面図であり、図３は縦樋３に縦樋用控具を施工した状態を示す側面図である。なお、図３では縦樋用控具の構成を一部簡略化して示している。
【００１３】
本実施形態においては、図１乃至図３に示すように、縦樋用控具は縦樋３を保持する縦樋保持部１と、縦樋保持部１と連結するとともに建物の壁面４に固定する固定部２とを備えている。雨樋には、軒先に設ける軒樋（図示せず）と、図３に示すように建物の壁面４に沿って例えば屋根から地面へと向う上下方向（Ａ軸方向）に設ける縦樋３とがあり、本実施形態の縦樋用控具は、建物の壁面４に縦樋３を固定する際に用いるものである。なお、縦樋３の形状は、断面が例えば円形や多角形があるが、本実施形態においては、四角形の角部を面取りした形状のものを用いる。
【００１４】
ここで、縦樋保持部１は、縦樋を保持する縦樋つかみ部１３と、縦樋つかみ部１３に延設された取付足１２と、取付足１２の先端に設けた例えば２つの突起部１１とを備えて構成されている。
【００１５】
縦樋つかみ部１３は、例えば開閉部１３ａと受け部１３ｂとヒンジ１３ｃとで構成され、開閉部１３ａと受け部１３ｂとはヒンジ１３ｃを介して開閉自在である。なお、縦樋つかみ部１３の形状は、縦樋３の外形にあわせ四角形の角部を面取りした形状であり、縦樋３に対して開閉自在に保持可能であり、例えば開閉部１３ａに凹部を設け、受け部１３ｂに凸部を設けて両部から接合部１３ｄを形成し、接合部１３ｄで開閉部１３ａと受け部１３ｂとを接合するようにする。
【００１６】
また、取付足１２は、縦樋つかみ部１３に延設され、その断面形状は、例えば幅がＷであり、高さがＨである四角形状であるが、取付足１２の断面形状は四角形状に限ったものではなく、円形形状等、建物の外観や縦樋３のデザインに合わせた任意の形状であってよい。また、取付足１２の長さは、建物の壁面４から縦樋３までの距離にあわせて、所望の長さに設定可能である。
【００１７】
また、突起部１１は、取付足１２の先端に２ヶ所設けた、例えば取付足１２からの出っ張りがＬであり、高さがＨであり、幅は所望の値である長方体の突起である。なお、突起部１１の形状は後述する固定部２の突起保持部２１と嵌合できればよく、突起部１１の設置箇所は取付足１２の先端部に限ったものではない。なお、本実施形態においては、縦樋つかみ部１３は、合成樹脂を用いて一体成形されている。
【００１８】
ここで、固定部２は、突起部１１と嵌合自在な突起保持部２１と、取付足１２を保持可能な溝部２２と、縦樋保持部１を固定部２に固定する蓋２３と、固定部２を建物の壁面４にネジや釘等で固着するための取付孔２４とを備えている。なお、嵌合自在とは、嵌め込みや取り外しが自由自在にできるということである。
【００１９】
突起保持部２１は、溝部２２を挟んで例えば４箇所づつ（４組）設けられており、突起保持部２１の形状は、突起部１１の形状にあわせ、突起部１１と嵌合自在であるような構成となっている。また、溝部２２は、取付足１２を保持できるように、例えば取付足１２の形状にあわせて形成されており、突起保持部２１と溝部２２とは、各々取付足１２と突起部１１とが嵌合自在であるような構成となっている。
【００２０】
また、蓋２３は、例えばヒンジ２７を介して固定部２の上面側に開閉可能に設けられる。なお、蓋２３と固定部２との固定は、例えば固定部２に凹部２５を設け、蓋２３に凸部２６を設けて、凹部２５、凸部２６お互いを嵌合させ行うが、この他に、蓋２３と固定部２とを接着剤を用いて固定してもよい。なお、本実施形態においては、固定部２は、例えば縦樋保持部１と同じ合成樹脂を用いて一体成形されている。
【００２１】
以下に、縦樋用控具の施工方法を説明する。まず、施工業者は固定部２の取付孔２４を介してネジや釘等を打ち込み、建物の壁面４の所望の箇所に固定部２を固定する。そして次に、施工業者は、壁面４の形状や壁面４と縦樋３との距離にあわせ、縦樋保持部１と固定部２との連結距離を調整し、前述した４組の突起保持部２１のうち、いずれかの突起保持部２１の１組を選択して、突起保持部２１と突起部１１とを嵌合するとともに、溝部２２と取付足１２とを嵌合する。
【００２２】
その後、施工業者は、例えば蓋２３に設けた凸部２６と固定部２に設けた凹部２５とを嵌合して、蓋２３にて縦樋保持部１に対して固定部２を固定する。最後に、施工業者は、開閉部１３ａと受け部１３ｂとを用いて縦樋３を保持するようにして閉じ、開閉部１３ａと受け部１３ｂとを接合部１３ｄにて接合して、図３に示すように、建物の壁面４に固定した縦樋用控具を用いて縦樋３を保持する。
【００２３】
なお、縦樋用控具の施工工程に関しては、前述した順序の他に、例えば先に突起保持部２１と突起部１１とを嵌合し、その後、固定部２を建物の壁面４に固定することも可能であり、施工現場の状況に応じて施工順序は適宜入れ換えることができる。
【００２４】
かかる縦樋用控具及びその施工方法においては、縦樋保持部１が突起部１１と取付足１２とを備えるとともに、固定部２が突起部１１と嵌合自在な突起保持部２１を備え、突起部１１と突起保持部２１とを嵌合するとともに、溝部２２と取付足１２とを嵌合することで、縦樋保持部１と固定部２とをボルトとナット等の締結具を用いずに連結できるので、煩雑であった縦樋保持部１と固定部２との締結作業を省くことができ、現場施工性が向上する。また、ボルトやナット等の締結具が不要であるので、締結具が露出することがないため、建物の外観を損ねることもなく、デザイン性も優れている。
【００２５】
また、突起保持部２１を複数設けることで、所望の突起保持部２１と突起部１１とを嵌合できるので、壁面４に例えば段差や凹凸がある場合でも、建物の壁面４から縦樋３までの距離にあわせて縦樋保持部１と固定部２との連結距離が容易に調節できる。また、蓋２３にて縦樋保持部１と固定部２を結合することで、縦樋保持部１の突起部１１や取付足１２が固定部２から抜け出ないように固定できるので、縦樋保持部１と固定部２とをより強く連結できる。また、縦樋つかみ部１３は、縦樋３に対して開閉自在に保持可能であるので、縦樋つかみ部１３にて縦樋３を容易に保持することができる。
【００２６】
ここで、本実施形態においては、縦樋保持部１及び固定部２は一体形成しているが、各々の構成部材を接着剤等で接着して形成してもよいし、一部の構成部材だけを接着剤等で接着するように形成してもよい。また、本実施形態においては、縦樋保持部１及び固定部２の材質は、合成樹脂を用いているが、この他にも例えば金属を用いてもよく、各部材の材質が金属の場合は溶接等でも各部材を接合することができる。
【００２７】
また、本実施形態においては、取付足１２に設ける突起部１１は、図１及び図２に示すように、取付足１２の両側に１箇所づつ設けているが、取付足１２の片側にのみ１箇所設ける等、取付足１２の所望の位置に、所望の数だけ設けるようにしてよい。なお、固定部２に設ける突起保持部２１は、突起部１１と嵌合自在になるように形成されていれば任意の形状、任意の数であってよい。
【００２８】
また、本実施形態においては、突起部１１を設ける方向は、図１及び図２に示すように、取付足１２の幅方向であるが、例えば、縦樋３を設ける方向である上下方向（Ａ軸方向）であってもよく、この場合、固定部２の突起保持部２１は、例えば溝部２２より突起部１１の形状にあわせてＡ軸下方向に掘り込んで形成するようにする。
【００２９】
【発明の効果】
上記のように本願の請求項１に係る発明の縦樋用控具及び請求項５に係る縦樋用控金具の施工方法にあっては、縦樋保持部は、縦樋つかみ部に延設した取付足と、取付足に設けた突起部とを備え、固定部は、突起部と嵌合自在な突起保持部を備え、突起部と突起保持部とを嵌合することで、縦樋保持部と固定部とを連結するため、縦樋保持部と固定部を連結するための締結具を必要としない上、煩雑な締結作業も省くことができるので、現場施工性が向上するという効果を奏する。また、ボルトやナット等の締結具が不要であるので、締結具が露出することがないため、建物の外観を損ねることもなく、デザイン性にも優れているという効果を奏する。
【００３０】
また、請求項２に係る発明の縦樋用控具にあっては、請求項１に記載の発明において、突起保持部を複数設け、複数の突起保持部のうちのいずれかの突起保持部と突起部とを嵌合することで、縦樋保持部と固定部との連結距離を容易に調節できるので、例えば段差や凹凸を備えた壁面と縦樋との連結も可能であるという効果を奏する。
【００３１】
また、請求項３に係る発明の縦樋用控具にあっては、請求項１又は請求項２に記載の発明において、固定部には蓋を設け、設けた蓋にて縦樋保持部に対して固定部を固定することで、縦樋保持部と固定部とをより強く連結することができるという効果を奏する。
【００３２】
また、請求項４に係る発明の縦樋用控具にあっては、請求項１乃至請求項３のいずれかに記載の発明において、縦樋つかみ部は、縦樋に対して開閉自在に保持可能であるので、縦樋つかみ部にて縦樋を容易に保持することができるという効果を奏する。
【図面の簡単な説明】
【図１】本発明の実施形態に係る縦樋用控具を示す斜視図である。
【図２】本発明の実施形態に係る縦樋用控具を示す平面図である。
【図３】本発明の実施形態に係る縦樋用控具を施工した状態を示す側面図である。
【図４】従来例に係る縦樋用控具の斜視図である。
【符号の説明】
１　縦樋保持部
２　固定部
３　縦樋
４　壁面
１１　突起部
１２　取付足
１３　縦樋つかみ部
１３ａ　開閉部
１３ｂ　受け部
１３ｃ　ヒンジ
１３ｄ　接合部
２１　突起保持部
２２　溝部
２３　蓋
２４　取付孔
２５　凹部
２６　凸部
２７　ヒンジ
【図１】
2004027535.tif 000003
【図２】
2004027535.tif 000004
【図３】
2004027535.tif 000005
【図４】
2004027535.tif 000006